(57)【要約】【課題】宅配ボックスを簡単安価に組み立てでき、宅配ボックスの本体の盗難も抑制できる宅配ボックス用台座の組立キット、及びその組立キットを組み立てることで構成される宅配ボックス用台座を備える宅配ボックスを提供すること。【解決手段】宅配ボックス用の台座３０を構成する組立キット４０をユーザに提供する。組立キットが、組み立てられた状態でブロック６０を収容するブロック収容室を画定するようにする。組立キット４０が、ブロック収容室の上側を画定する少なくとも１つの天板４３、ブロック収容室の側方を画定する少なくとも４つの側板４１、及びブロック収容室の下側を画定する少なくとも１つの底板４５を備えるようにする。【選択図】図２
2019098108.tif 000002
【特許請求の範囲】
【請求項１】
宅配ボックス用台座の組立キットであって、
組み立てられた状態でブロックを収容するブロック収容室を画定し、
前記ブロック収容室の上側を画定する少なくとも１つの天板、前記ブロック収容室の側方を画定する少なくとも４つの側板、及び前記ブロック収容室の下側を画定する少なくとも１つの底板を備える、組立キット。
【請求項２】
前記宅配ボックス用台座の底面の面積が、前記宅配ボックス用台座に取り付けられる宅配ボックス本体の底面の面積よりも大きい、請求項１に記載の組立キット。
【請求項３】
前記宅配ボックス用台座が４つの角部を有し、
前記角部は、高さ方向の底側に行くにしたがって外側に傾斜する傾斜面を含む末広がり部を有し、
前記末広がり部を前記高さ方向に直交する平面で切断したときの断面の面積は前記底側に行くにしたがって大きくなっている、請求項１又は２に記載の組立キット。
【請求項４】
前記ブロック収容室は、直方体状の形状を有し、
前記４つの側板は、前記ブロック収容室の４つの側壁を構成し、
前記宅配ボックス用台座が４つの角部を有して、その４つの角部を構成する４つのコーナー部材を更に備え、
前記各コーナー部材は、２つの前記側板に取り付けられ、
前記コーナー部材及び前記側板の夫々が、互いに係合するための係合部を有する、請求項１乃至３のいずれか１つに記載の組立キット。
【請求項５】
請求項１乃至４のいずれか１つに記載の組立キットを組み立てることで構成される宅配ボックス用台座を備える、宅配ボックス。
【発明の詳細な説明】
【技術分野】
【０００１】
本開示は、宅配ボックス用台座の組立キット及び宅配ボックスに関する。
【背景技術】
【０００２】
従来、宅配ボックスとしては、特許文献１に記載されているものがある。この宅配ボックスは、前面に扉が形成されたボックス本体と、ボックス本体から下側に突出すると共に奥行き方向に延在する４条の平板を有する。４条の平板のうちの２条の平板は、ボックス本体の下側における幅方向の両端部に設けられ、残りの２条の平板は、両端部の平板から略コンクリートブロックの幅方向寸法だけ間隔をおいて両端部の平板に略平行な状態で内側の位置に設けられる。
【０００３】
端部に設けられた平板と、その内側の平板との間には、コンクリートブロックが、その貫通孔がボックス本体の幅方向に延在するように配置され、一対の平板が、コンクリートブロックを挟持する。また、各平板は、奥行き方向に間隔をおいて配置される２つのボルト挿通孔を有する。宅配ボックスの幅方向から見たとき、一対の平板のボルト挿入孔位置は、一対の平板が挟持しているコンクリートブロックの貫通孔位置に一致する。長尺のボルトが、コンクリートブロックの貫通孔、および一対のボルト挿入孔に挿通され、ナットで締結される。その結果、宅配ボックスが２つのコンクリートブロックと一体化され、宅配ボックスの台座構造が、コンクリートブロックを利用して構成される。
【先行技術文献】
【特許文献】
【０００４】
【特許文献１】実開昭６１−１５０９４５号公報
【発明の概要】
【発明が解決しようとする課題】
【０００５】
上記宅配ボックスでは、購入者がコンクリートブロックを用意すればよく、製造コストと輸送コストを低減できる。また、購入者が、ボックス本体の２条の平板部の間にコンクリートブロックを配置してボルトとナットでねじ止めするだけで、宅配ボックスを業者の手を借りずに容易に組み立て出来る。
【０００６】
しかし、上記宅配ボックスは、外部からナット及びボルトを容易に外すことができ、ボックス本体と重量物であるコンクリートブロックを容易に分離できるので、宅配ボックスのボックス本体を持ち去られる虞がある。
【０００７】
そこで、本開示の課題は、宅配ボックスを簡単安価に組み立てでき、宅配ボックスの本体の盗難も抑制できる宅配ボックス用台座の組立キット、及びその組立キットを組み立てることで構成される宅配ボックス用台座を備える宅配ボックスを提供することにある。
【課題を解決するための手段】
【０００８】
上記課題を解決するため、本開示に係る宅配ボックス用台座の組立キットは、宅配ボックス用台座の組立キットであって、組み立てられた状態でブロックを収容するブロック収容室を画定し、ブロック収容室の上側を画定する少なくとも１つの天板、ブロック収容室の側方を画定する少なくとも４つの側板、及びブロック収容室の下側を画定する少なくとも１つの底板を備える。
【発明の効果】
【０００９】
本開示に係る宅配ボックス用台座の組立キットによれば、宅配ボックスを簡単安価に組み立てでき、宅配ボックスの本体の盗難も抑制できる。また、本開示に係る宅配ボックスによれば、簡単安価に設置でき、盗難も抑制できる。
【図面の簡単な説明】
【００１０】
【図１】第１実施形態の宅配ボックスの斜視図である。
【図２】上記宅配ボックスの台座の分解斜視図であり、台座の組立キットを表す分解斜視図である。
【図３】上記台座の斜視図である。
【図４】上記台座の側板とコーナー部材の係合構造を示す平面図である。
【図５】図３におけるＡＡ線断面の一部である。
【図６】第２実施形態の台座の分解斜視図であり、第２実施形態の台座の組立キットについて説明する分解斜視図である。
【図７】第２実施形態の台座と宅配ボックス本体との固定構造について説明する図である。
【図８】（ａ）は、第２実施形態の台座の組立キットを収めた梱包材の斜視図であり、（ｂ）は、組み立てた状態の第２実施形態の台座を梱包した場合の梱包材の斜視図である。
【図９】第２実施形態の変形例の台座を説明する図である。
【図１０】（ａ）は、第２実施形態の宅配ボックスの模式斜視図であり、（ｂ）は、変形例の宅配ボックスの模式斜視図であり、（ｃ）は、他の変形例の宅配ボックスの模式斜視図である。また、（ｄ）は、更なる変形例の宅配ボックスの模式斜視図であり、（ｅ）は、第１実施形態の宅配ボックスの模式斜視図である。
【発明を実施するための形態】
【００１１】
以下に、本開示に係る実施の形態について添付図面を参照しながら詳細に説明する。以下において複数の実施形態や変形例などが含まれる場合、それらの特徴部分を適宜に組み合わせて新たな実施形態を構築することは当初から想定されている。
【００１２】
以下、本開示を図示の形態により詳細に説明する。なお、下記実施形態および変形例で説明する構成のうちの二以上の構成を組み合わせて新たな実施形態を構築できることは、勿論である。また、以下の説明及び図面で、Ｘ方向は、宅配ボックス用台座（以下、単に台座という）３０,１３０,２３０,３３０,４３０,５３０の幅方向であり、Ｙ方向は、台座３０,１３０,２３０,３３０,４３０,５３０の奥行き方向である。また、Ｚは、台座３０,１３０,２３０,３３０,４３０,５３０の高さ方向である。Ｘ方向は、宅配ボックス１,１０１,２０１,３０１,４０１,５０１の幅方向に一致し、Ｙ方向は、宅配ボックス１,１０１,２０１,３０１,４０１,５０１の奥行き方向に一致する。また、Ｚ方向は、宅配ボックス１,１０１,２０１,３０１,４０１,５０１の高さ方向に一致する。Ｘ方向、Ｙ方向、及びＺ方向は、互いに直交する。また、以下の説明で、鉛直方向に関連する文言、例えば、上側、下側、水平方向等が使用された場合、その文言は、宅配ボックス１が水平面に設置されている状態で表現されている。
【００１３】
（第１実施形態）
図１は、第１実施形態の宅配ボックス１の斜視図である。図１に示すように、宅配ボックス１は、宅配ボックス本体（以下、単に本体という）１０と、台座３０を備え、本体１０は、外装体１２と、片開き型の扉１３を含む。外装体１２は、Ｙ方向一方側に荷物を出し入れする開口１４を有する。
【００１４】
扉１３におけるＸ方向一方側にあるＺ方向に延在する縁部には、その上側に上側軸部が設けられ、その下側に下側軸部が設けられる。Ｚ方向から見たとき、上側軸部と下側軸部は重なる。上側軸部と下側軸部の夫々は、外装体１２に回動自在に固定される。扉１３は、上側及び下側軸部を支点として外装体１２に対して回転可能となっている。
【００１５】
詳述しないが、扉１３は、例えば、その内側に宅配業者等が施錠を行うための操作部１５を有する。また、扉１３は、例えば、その外側に宅配業者等が扉１３を開けるための開ボタンと、伝票を差し込む伝票差込口と、捺印を実行させる捺印ボタンと、使用可能の有無を表示する表示部を有する。
【００１６】
例えば、宅配業者等は、先ず、扉が閉じられた宅配ボックス１の開ボタンを押して、扉１３を開け、荷物を外装体１２内に入れることができ、操作部１５を用いて、扉１３が閉じた状態で施錠を行うことができる。また、宅配業者等は、例えば、伝票を伝票差込口に入れ、捺印ボタンを押すことにより、本体１０に事前にセットされたシャチハタ式等の印鑑により伝票への押印を実行できる。また、荷物が入れられて施錠されると、表示部が、使用中を意図する表示を行う。これにより、住人等が専用キーやパスワードの入力等で荷物を取り出さない限り、他の荷物を収容できなくなる。なお、本体１０に荷物を収容する機能、伝票に押印する機能、荷物を取り出す機能、及び表示機能の夫々は、多種多様存在し、いずれの機能でもよく、説明した機能に限らない。
【００１７】
台座３０は、略直方体状の外形を有する。本体１０は、台座３０の上側に載置される。本体１０と、台座３０は、本体固定用ねじ８５を、外装体１２の底部１８を貫くようにワッシャ８６を介して底部１８の上側から底部１８及び台座３０の上側に締め込むことで、一体化される。
【００１８】
図２は、台座３０の分解斜視図であり、台座３０の組立キット４０を表す分解斜視図である。また、図３は、組み立てられた状態の台座３０の斜視図である。図２に示すように、組立キット４０は、４つの側板４１、４つのコーナー部材４２、２つの天板４３、１つの底板４５、及び図示しない複数のねじ部材を備える。
【００１９】
組立キット４０は、例えば次の手順で組み立てられる。先ず、側板４１とコーナー部材４２を係合する。詳しくは、図４、すなわち、側板４１とコーナー部材４２の係合構造を示す平面図に示すように、Ｙ方向に延在する側板４１は、Ｙ方向両側にＹ方向外側に突出するＹ方向突出部４１ａを含む。また、図示しないが、Ｘ方向に延在する側板４１は、Ｘ方向両側にＸ方向外側に突出するＸ方向突出部を含む。Ｙ方向突出部４１ａは、Ｙ方向に延在する側板４１の係合部を構成し、Ｘ方向突出部は、Ｘ方向に延在する側板４１の係合部を構成する。Ｘ方向突出部は、Ｙ方向突出部４１ａと同一でもよいが、宅配ボックスの底面が略長方形である場合には、Ｙ方向突出部４１ａと異なる形状とすると、側板４１とコーナー部材４２の間違った係合を防止できて好ましい。
【００２０】
コーナー部材４２は、Ｙ方向突出部４１ａに対応する形状であるＹ方向凹部４２ａと、Ｘ方向突出部に対応する形状であるＸ方向凹部４２ｂを含む。Ｙ方向凹部４２ａ及びＸ方向凹部４２ｂは、コーナー部材４２の係合部を構成する。各コーナー部材４２のＹ方向凹部４２ａに、Ｙ方向に延在する側板４１のＹ方向突出部４１ａを嵌め込むと共に、各コーナー部材４２のＸ方向凹部４２ｂに、Ｘ方向に延在する側板４１のＸ方向突出部を嵌め込む。このようにして、４つ側板４１と、４つのコーナー部材４２を組み立てて一体化し、台座３０における環状の側壁構造を構成する。なお、側板４１の係合部を、突出部４１ａで構成し、コーナー部材４２の係合部を凹部４２ａ,４２ｂで構成する場合について説明したが、側板の係合部を、凹部で構成し、コーナー部材の係合部を突出部で構成してもよい。
【００２１】
次に、側壁構造を、底板４５に固定する。詳しくは、図５、すなわち、図３におけるＡＡ線断面の一部に示すように、各側板４１は、その延在方向及びＺ方向の両方に直交する方向の内方側に突出する板状の固定部４１ｂを有する。各側板４１の固定部４１ｂと、底板４５は、好ましくは２以上のタッピングねじ４７で締結されて固定される。しかし、固定部４１ｂと、底板４５は、１つのみのタッピングねじ４７で固定されてもよい。なお、図５では、以下で説明するブロック６０（図３参照）の図示は、省略している。タッピングねじ４７を用いた固定で、環状の側壁構造と底板４５が一体化される。側壁構造及び底板４５は、ブロック収容室の側面及び底面を画定する。
【００２２】
次に、ブロック収容室５０（図５参照）にコンクリートブロック（以下、単に、ブロックという）６０を収容する。詳しくは、図２を参照して、３つのブロック６０を、ブロック収容室５０に貫通孔６１がＺ方向に延在している状態で収容する。逆に言えば、本実施形態では、ブロック収容室５０の体積は、貫通孔６１がＺ方向に延在している状態で直方体状に密接配置された３つのブロック６０の体積に略一致する。各ブロック６０は、例えば、ＪＩＳ規格において、基本型でＸ寸法が１０ｃｍ（１０.３ｋｇ）のブロックで構成される。
【００２３】
なお、各ブロックとして、ＪＩＳ規格において、基本型でＸ寸法が１２ｃｍ、１５ｃｍ又は１９ｃｍのものを使用してもよく、隅型等の基本型以外のブロックを使用してもよい。また、ブロック収容室の体積は、貫通孔がＺ方向に延在している状態で直方体状に密接配置された４以上のブロックの体積に略一致してもよく、４以上のブロックがブロック収容室に収容されてもよい。また、少なくとも１つのブロックは、その貫通孔が水平方向に延在する状態でブロック収容室に収容されてもよい。また、ブロック収容室に収容される複数のブロックに異なる種類の２以上のブロックが収容されてもよい。また、１以上のブロックに、ＪＩＳ規格で規定されていないブロックが含まれてもよい。
【００２４】
続いて、ブロック収容室５０の上側に２つの天板４３を取り付ける。詳しくは、図２に示すように、各天板４３は、平板の枠構造で構成された天板本体６３と、天板本体６３から上側に突出して、宅配ボックス１の本体１０の固定に用いられる固定部６４を含む。天板本体６３の長手方向は、Ｘ方向に一致し、天板本体６３の長手方向長さは、台座３０のＸ方向長さに略一致する。また、天板本体６３の幅方向は、Ｙ方向に一致し、天板本体６３の幅方向長さは、台座３０のＹ方向長さの半分よりも僅かに短い長さとなっている。平板枠状の天板本体６３においてＸ方向に延びる一対の帯状平板部６７ａ,６７ｂのうちで外側に配置される一方の帯状平板部６７ｂの外側角部は、湾曲した形状になっている。
【００２５】
固定部６４は、Ｘ方向に延在するＬ字アングル状の構造を有し、Ｚ方向に突出する高さ方向突出部６４ａと、幅方向突出部６４ｂを含む。高さ方向突出部６４ａは、帯状平板部６７ｂの内側縁部と略同一のＸ方向長さを有し、該内側縁部からＺ方向上側に突出する。また、幅方向突出部６４ｂは、高さ方向突出部６４ａと同一のＸ方向長さを有し、高さ方向突出部６４ａの上側端部から内側にＹ方向に突出する。
【００２６】
図２に示すように、コーナー部材４２の上面は、湾曲した角部を有する。図３に示すように、Ｚ方向から見たとき、帯状平板部６７ｂの湾曲した２つの外側角部が、Ｘ方向に対向する２つのコーナー部材４２の上面の湾曲した角部に重なるように、天板４３を、上述の環状の側壁構造の環状の上面のＹ方向一方側に配置する。この状態で、帯状平板部６７ｂが、Ｘ方向に延在し、帯状平板部６７ｂの全て又は略全てが、環状の側壁構造７７（図３参照）の上面におけるＸ方向に延在する縁部上に載置される。また、他方の帯状平板部６７ａが、３つのブロック６０の上面上をＸ方向に横断するように配置される。この状態で、帯状平板部６７ｂを、Ｘ方向に間隔をおいて配置された２つのタッピングねじ７８で側壁構造７７におけるＸ方向に延在する側板４１上面の所定位置に取り付けると共に、天板本体６３におけるＹ方向に延在する一対の帯状平板部６７ｃ,６７ｄを、タッピングねじ７９でＹ方向に延在する一対の側板４１上面に取り付ける。ブロック収容室５０に３つのブロック６０を収容した状態で、２つの天板４３をタッピングねじ７８,７９で側壁構造７７の上面に固定すると、台座３０の組み立てが完了する。組み立てられた台座３０の各天板４３の幅方向突出部６４ｂには、Ｘ方向に間隔をおいて２つのねじ孔８３（図３参照）が設けられる。
【００２７】
組み立てられた台座３０は、４つの本体固定用ねじ８５を用いて宅配ボックス１の本体１０（図１参照）に固定される。詳しくは、図１及び図３を参照して、本体固定用ねじ８５を、扉１３が開いた状態の本体１０の底部１８の上側から、底部１８に設けられたねじ孔１９と幅方向突出部６４ｂのねじ孔８３に螺合する。このようにして、宅配ボックス１の本体１０を、天板４３の幅方向突出部６４ｂに取り付け、本体１０を台座３０に固定する。本体１０は、枠状（環状）の脚部を有し、脚部は、本体１０の底部１８の底面から下側に突出する。底部１８は、脚部の底面よりもＺ方向上側に位置する。
【００２８】
なお、図３を参照して、固定部６４の高さ方向突出部６４ａの外側側面８７が、脚部においてＸ方向に延在する部分の内側側面に接触するようにしてもよい。また、幅方向突出部６４ｂのＸ方向両端部８８が、脚部においてＹ方向に延在する部分の内側側面に接触するようにしてもよい。このようにして、固定部６４で本体１０の水平方向の位置決めを行うと好ましい。また、組立キット４０の各パーツの材料は、特に限定されるものではないが、側板４１を金属で構成すれば、十分な強度を確保できて好ましく、コーナー部材４２を樹脂で構成すれば、コストを低減できて好ましい。
【００２９】
組み立てられた台座３０に関し、台座３０の底面の面積は、台座３０の上面の面積に略一致する本体１０の底面の面積よりも大きい。詳しくは、図１に示すように、台座３０の上面の面積は、本体１０の底面の面積に略一致する。また、図２に示すように、各コーナー部材４２は、末広がり部８１を有し、末広がり部８１は、略Ｚ方向に延在する内側側面７４と、Ｚ方向底側に行くにしたがって外側に傾斜する傾斜面８０を含む。また、末広がり部８１をＺ方向に直交する平面で切断したときの断面の面積は、底側に行くにしたがって大きくなる。したがって、コーナー部材４２は、底面の面積が上面の面積よりも大きくなる。よって、コーナー部材４２の底面の面積が上面の面積に対して大きくなった分だけ、台座３０の底面の面積が、台座３０の上面の面積よりも大きくなる。その結果、台座３０の上面の面積が、本体１０の底面の面積に略一致するため、台座３０の底面の面積が、本体１０の底面の面積よりも大きくなる。
【００３０】
更には、宅配ボックス１では、台座３０の組み立てに使用するねじ４７,７８,７９と、台座３０を本体１０に固定するねじ８５が、外部からアクセス不可能になる。詳しくは、本体１０を台座３０に取り付けた状態で、本体１０の環状の底面が、天板４３の帯状平板部６７ｂ上及び一対の帯状平板部６７ｃ,６７ｄ上に載置され、一対の帯状平板部６７ｃ,６７ｄに隙間がない状態で当接する。その結果、側板４１を底板４５に固定するタッピングねじ４７の頭部が、底板４５と載置面との間に配置され、人がタッピングねじ４７にアクセス不可能になる。更には、天板４３を側板４１に固定するタッピングねじ７８,７９が、本体１０の底面と側板４１の上面とで挟持される。よって、人がタッピングねじ７８,７９にアクセス不可能になる。
【００３１】
以上、本開示の組立キット４０は、台座（宅配ボックス用台座）３０の組立キットであって、組み立てられた状態でブロックを収容するブロック収容室５０を画定する。また、組立キット４０は、ブロック収容室５０の上側を画定する少なくとも１つの天板、ブロック収容室５０の側方を画定する少なくとも４つの側板、及びブロック収容室５０の下側を画定する少なくとも１つの底板を備える。
【００３２】
上記構成によれば、組立キット４０を、１以上のブロック６０をブロック収容室５０に収容可能な状態まで組み立てた後、１以上のブロック６０をブロック収容室５０に収容できる。そして、その後、組立キット４０を最後まで組み立てることで、ブロック６０を用いた台座３０を簡単に組立てできる。更には、購入者は、ホームセンター等でブロック６０を１個につき２百円程度の低料金で購入できる。したがって、組立キット４０からブロック６０に対応する重量部品を削減でき、ブロック６０を輸送する必要もない。よって、宅配ボックス１を業者の手を借りずに容易に組み立てできるだけでなく、製造コストと輸送コストも大幅に低減できる。
【００３３】
また、上述のように、宅配ボックス１が荷物を収容した状態で立設している場合に、台座３０の組み立て及び固定に用いた全てのねじ４７,７８,７９,８５を外部に露出しないようにできる。したがって、全てのねじ４７,７８,７９,８５を外部から取り外し不可能にできる。よって、重量物であるブロック６０を台座３０から容易に分離できないようにでき、その結果、宅配ボックス１の持ち去りが容易でなくなり、宅配ボックス１の盗難も抑制できる。
【００３４】
更には、ブロック６０がブロック収容室５０に収容された状態で、ブロック６０を、天板４３、４つの側板４１、及び底板４５で覆うことができ、ブロック６０を外部から視認不可能にできる。よって、台座３０を、意匠性が高くて美観に優れるものにできる。
【００３５】
また、台座３０の底面の面積が、台座３０に取り付けられる本体（宅配ボックス本体）１０の底面の面積よりも大きくてもよい。
【００３６】
上記構成によれば、台座３０で本体１０を安定に支持でき、本体１０の転倒を抑制できる。
【００３７】
また、台座３０が４つの角部を有し、角部は、Ｚ方向の底側に行くにしたがって外側に傾斜する傾斜面８０を含む末広がり部８１を有してもよい。そして、末広がり部８１をＺ方向に直交する平面で切断したときの断面の面積が底側に行くにしたがって大きくなってもよい。
【００３８】
上記構成によれば、末広がり部８１で台座底面の面積を本体底面の面積よりも大きくできる。したがって、底側の面積が大きいので安定性を大きくできる。また、台座３０のＺ方向に垂直な断面における断面積が上側に行くにしたがって小さくなる。したがって、台座３０において本体１０から水平方向に突出する突出部を低減できる。よって、ユーザが該突出部に足等を引っ掛けてつまずく虞を抑制できると共に、台座３０の材料費も低減でき、更には、台座３０をコンパクトに構成できる。
【００３９】
また、ブロック収容室５０は、直方体状の形状を有してもよく、４つの側板４１は、ブロック収容室５０の４つの側壁を構成してもよい。また、台座３０が４つの角部を有して、その４つの角部を構成する４つのコーナー部材４２を更に備えてもよい。また、各コーナー部材４２は、２つの側板４１に取り付けられてもよい。また、コーナー部材４２及び側板４１の夫々が、互いに係合するための係合部（Ｙ方向突出部４１ａ,Ｘ方向突出部,Ｙ方向凹部４２ａ,Ｘ方向凹部４２ｂ）を有してもよい。
【００４０】
上記構成によれば、側板４１とコーナー部材４２を分離でき、コーナー部材４２のみに末広がり部８１を形成し易くなる。したがって、台座３０の材料費を更に低減でき、台座３０を更にコンパクトに構成できる。また、傾斜面８０をコーナー部材４２のみに設けた場合、傾斜面８０を設けない側板４１の配設箇所に凹部９１(図１参照)を形成できる。よって、凹部９１に植栽のプランター等を配置できる。また、コーナー部材４２と側板４１の夫々が、互いに係合する係合部を有するので、コーナー部材４２と側板４１を、締結部材を使わずに簡単安価に一体化できる。
【００４１】
更には、台座３０が、２つの天板４３を有してもよく、天板４３が、枠構造を有する天板本体６３と、天板本体６３から上側に突出する固定部６４を含んでもよい。
【００４２】
上記構成によれば、天板４３が枠構造を有するので、天板４３の材料費を低減でき、しかも、固定部６４を用いて本体１０の底部１８を台座３０に簡単安価かつ確実に固定できる。
【００４３】
また、宅配ボックス１は、組立キット４０を組み立てることで構成される台座３０を備える。したがって、簡単安価に設置でき、盗難も抑制できる。
【００４４】
なお、第１実施形態では、台座３０が、枠構造を有する２つの天板４３を有する場合について説明し、２つの天板４３が、ブロック収容室５０の上側開口を部分的に封鎖する場合について説明した。しかし、台座は、１つのみの枠構造を有する天板を有してもよく、１つの天板のみで、ブロック収容室５０の上側開口を部分的に封鎖してもよい。又は、台座が、１以上の天板で構成され、該１以上の天板が、ブロック収容室の上側開口を隙間なく密閉する構成でもよい。また、第１実施形態では、図３に示すように、天板４３が、Ｘ方向に延在する固定部６４を有する場合について説明した。しかし、天板は、Ｙ方向に延在する固定部を有してもよい。
【００４５】
（第２実施形態）
図６は、第２実施形態の台座１３０の分解斜視図であり、第２実施形態の台座１３０の組立キット１４０について説明する分解斜視図である。また、図７は、宅配ボックス１０１の本体１０と台座１３０の固定構造について説明する図である。以下、図６、図７等を用いて、第１実施形態の台座３０よりも簡易な構造を有し、輸送コストを低減できる台座１３０の組立キット１４０について説明する。なお、第２実施形態では、第１実施形態と同一の構成については、第１実施形態と同一の参照番号を付して説明を省略する。また、第２実施形態では、第１実施形態と同様の作用効果及び変形例についても説明を省略する。
【００４６】
図６に示すように、組立キット１４０は、一対の第１側板１４１、一対の第２側板１４２、１つの天板１４３、１つの底板１４５、及び１つの固定板１４７を備える。第１側板１４１は、台座１３０のＸ方向に延在する側壁部を構成する。第１側板１４１は、Ｚ方向両側に長手方向（Ｘ方向に一致）に延在する折れ目線１５０,１５１を含み、上側折れ目線１５０よりも上側に上側固定代１５２を有し、下側折れ目線１５１よりも下側に下側固定代１５３を有する。また、第２側板１４２は、台座１３０のＹ方向に延在する側壁部を構成する。第２側板１４２は、Ｚ方向両側に長手方向（Ｙ方向に一致）に延在する折れ目線１５４,１５５を含み、上側折れ目線１５４よりも上側に上側固定代１５６を有し、下側折れ目線１５５よりも下側に下側固定代１５７を有する。第１側板１４１の上側及び下側固定代１５２,１５３は、Ｘ方向に間隔をおいて位置する２つの有底のねじ孔を有し、第２側板１４２の上側及び下側固定代１５６,１５７は、Ｙ方向に間隔をおいて位置する３つの有底のねじ孔を有する。また、天板１４３及び底板１４５の夫々は、周辺部に１０個のねじ孔を有する。
【００４７】
下側固定代１５３,１５７を、工具等を用いて下側折れ目線１５１,１５５で台座１３０の内側に９０度折り曲げ、１０個のタッピングネジを、底板１４５の下側からそのねじ孔及び下側固定代１５３,１５７の有底のねじ孔に締め込む。このようにして、一対の第１側板１４１、一対の第２側板１４２、及び底板１４５が、一体化され、ブロック収容室の側面及び底面を画定する。その後、３つのブロック６０を、矢印αで示す方向に上側開口からブロック収容室５０内に挿入して収容する。
【００４８】
次に、固定板１４７を天板１４３に取り付ける。固定板１４７は、平面視が矩形の平板においてＹ方向に延在するＸ方向の両縁部をＬ字状に折り返した形状を有する。詳しくは、固定板１４７は、矩形平板状の本体部１８０を有すると共に、本体部のＸ方向の両端部（両縁部）の夫々に、Ｚ方向に延在する高さ方向延在部１８１とＸ方向に延在する幅方向延在部１８２を有する。本体部１８０の表側面の面積は、天板１４３の表側面の面積よりも小さい。また、各幅方向延在部１８２は、Ｙ方向に間隔をおいて位置する２つのねじ孔１８５を有し、天板１４３は、固定板固定用の４つのねじ孔１８６を有する。固定板１４７を各幅方向延在部１８２が天板１４３の表側面に接触するようにその表側面の中央部に配置する。そして、４つのねじを天板１４３の下側から天板１４３のねじ孔１８６及び幅方向延在部１８２のねじ孔１８５に締め込むことで、固定板１４７を天板１４３に固定する。
【００４９】
続いて、上側固定代１５２,１５６を、工具等を用いて上側折れ目線１５０,１５４で台座１３０の内側に９０度折り曲げる。そして、１０個のタッピングネジ１９０を、天板１４３の上側からそのねじ孔１９１及び上側固定代１５２,１５６の有底のねじ孔１９２,１９３に締め込む。このタッピングネジ１９０の締め込みで、固定板１４７付きの天板１４３が、第１及び第２側板１４１,１４２の上側端部に固定され、台座１３０が構成される。
【００５０】
図７に示すように、台座１３０の固定板１４７の上面には、４つのねじ孔１９８が設けられる。本体固定用ねじ８５を、扉１３（図１参照）が開いた状態の本体１０の底部の上側から、底部に設けられたねじ孔と固定板１４７のねじ孔１９８に螺合する。このようにして、本体１０を、固定板１４７に取り付ける。
【００５１】
なお、天板１４３に対する固定板１４７の固定は、天板１４３を上側固定代１５２,１５６に固定する前の如何なるタイミングで実行してもよい。また、図６に示すように、底板１４５は、外側に突出すると共に貫通孔１７１を有するワイヤー固定金具１７０を有してもよい。そして、自転車の盗難防止用チェーンを適切な箇所にくくり付けて盗難防止を行うのと同様に、図示しないワイヤーを貫通孔１７１に通過させた後、該ワイヤーを適切な箇所にくくり付けることで、宅配ボックス１０１の盗難防止を実行してもよい。
【００５２】
第２実施形態によれば、組立キット１４０が、６枚の平板１４１,１４２,１４３,１４５、高さが低い固定板１４７、及び複数のねじだけで構成される。したがって、重量物で容積も大きいブロック６０を搬送する必要がないだけでなく、図８（ａ）に示す、それら搬送部品を収めた梱包材１６５の重量及び容積を小さくできる。そして、梱包材１６５の重量を、図８（ｂ）に示す、組み立てた状態の台座１３０の搬送用の梱包材１７５と比較すると、大きく低減できるだけでなく、梱包材１６５の高さｃ１も、梱包材１７５の高さｃ２よりも大きく低減でき、容積も大きく低減できる。よって、軽量化されたコンパクトな梱包材１６５を一度により多く搬送できるので、輸送コストを低減できる。
【００５３】
なお、台座１３０は、上面の面積が下面の面積と略同一であるため、台座３０（図３参照）よりも安定性が低下する虞がある。しかし、アジャスタボルトを用いると、この問題を改善できる。詳しくは、図９、すなわち、第２実施形態の変形例の台座２３０を説明する図に示すように、底板２４５が、裏側面の四隅にねじ孔（図示せず）を有してもよい。そして、組立キット２４０が、その各ねじ孔に締め込まれ、締め込み量が調整可能なアジャスタボルト２７０を備えてもよい。この変形例によれば、載置面の地形に応じて各アジャスタボルト２７０の締め込み量を調整できる。したがって、底板２４５が水平方向に略平行に広がるように底板２４５の姿勢を調整できる。よって、宅配ボックス２０１の載置面が水平でなくても宅配ボックス２０１の本体１０を台座２３０で安定に支持できる。
【００５４】
なお、本開示は、上記第１及び第２実施形態およびその変形例に限定されるものではなく、本願の特許請求の範囲に記載された事項およびその均等な範囲において種々の改良や変更が可能である。
【００５５】
例えば、上記第２実施形態では、図１０（ａ）、すなわち、第２実施形態の宅配ボックス１０１の模式斜視図に示すように、宅配ボックス１０１が略直方体状の形状を有する場合について説明した。
【００５６】
しかし、図１０（ｂ）、すなわち、変形例の宅配ボックス３０１の模式斜視図に示すように、台座３３０が、底側の四隅に台座本体３３１から外側にはみ出すように配置される四つの矩形状の平板３３２を含んでもよく、組立キットが四つの矩形状の平板３３２を含んでもよい。このようにして、四つの平板３３２で宅配ボックス３０１の転倒を抑制し、宅配ボックス３０１の安定性を、（ａ）に示す宅配ボックス１０１よりも向上させるようにしてもよい。
【００５７】
なお、この場合、各平板３３２は、人が足を引っかけにくい厚さを有すると好ましく、例えば、２ｃｍ以下の厚さを有すれば好ましく、１ｃｍ以下の厚さを有すれば更に好ましく、０.５ｃｍ以下の厚さを有すれば最も好ましい。また、各平板３３２の長手方向が、宅配ボックス３０１のＸ方向又はＹ方向に略一致するように配置し、各平板３３２の幅方向が、宅配ボックス３０１のＹ方向又はＸ方向に略一致するように配置すると好ましい。更には、それに加えて、各平板３３２が、台座本体３３１からＸ方向及びＹ方向に８０ｍｍ以上はみ出すように配置すると転倒を効果的に抑制できて好ましく、台座本体から幅方向及び奥行き方向に１２０ｍｍ以上はみ出すように配置すると転倒を略防止できて更に好ましい。
【００５８】
また、図１０（ｃ）、すなわち、他の変形例の宅配ボックス４０１の模式斜視図に示すように、台座４３０が略直方体状の形状を有し、台座４３０の表側面が宅配ボックス４０１の本体４１０の裏側面よりも大きな面積を有してもよい。このようにして、台座４３０における本体４１０の支持の安定性を各段に大きくすると共に、台座４３０の強度を、（ｂ）に示す台座３３０の強度よりも大きくしてもよい。
【００５９】
また、図１０（ｄ）、すなわち、更なる変形例の宅配ボックス５０１の模式斜視図に示すように、台座５３０が、四角錐台状の形状を有し、台座５３０の上面の面積が、宅配ボックス５０１の底面の面積と略同一であるか、又は僅かに大きくなるようにしてもよい。このようにして、台座５３０における宅配ボックス５０１の本体５１０の支持の安定性を実現してもよい。また、台座５３０のＸＹ平面での断面積がＺ方向上側に行くにしたがって小さくなるようにして、（ｃ）に示す台座４３０との比較において、台座５３０につまずきにくいようにすると共に、材料費を低減して製造コストを小さくしてもよい。但し、図１０（ｅ）、すなわち、第１実施形態の宅配ボックス１の模式断面図に示すように、傾斜面８０をコーナー部材４２のみに設けると、安定性、つまずきにくさ、材料費の低減、及びコンパクト性を全て実現でき、最も好ましい。
【符号の説明】
【００６０】
１,１０１,２０１,３０１,４０１,５０１  宅配ボックス、  １０,４１０,５１０  宅配ボックスの本体、  ３０,１３０,２３０,３３０,４３０,５３０  台座、  ４０,１４０,２４０  組立キット、  ４１  側板、  ４１ａ  Ｙ方向突出部、  ４２ａ  Ｙ方向凹部、  ４２ｂ  Ｘ方向凹部、  ４２  コーナー部材、  ４３  天板、  ４５  底板、  ５０  ブロック収容室、  ６０  ブロック、  ８０  傾斜面、  ８１  末広がり部、  Ｘ方向  台座の幅方向、  Ｙ方向  台座の奥行き方向、  Ｚ方向  台座の高さ方向。
【図１】
2019098108.tif 000003
【図２】
2019098108.tif 000004
【図３】
2019098108.tif 000005
【図４】
2019098108.tif 000006
【図５】
2019098108.tif 000007
【図６】
2019098108.tif 000008
【図７】
2019098108.tif 000009
【図８】
2019098108.tif 000010
【図９】
2019098108.tif 000011
【図１０】
2019098108.tif 000012